(57)【特許請求の範囲】
【請求項１】
更新前固有番号または更新後固有番号のいずれか一方が記憶された認証用可搬媒体と前記認証用可搬媒体を用いて所定の通行場所の通行の可否の認証を行う出入管理装置本体とを有する出入管理装置において、
少なくとも前記更新前固有番号、前記更新後固有番号、前記所定の通行場所の通行の可否情報である通行権限および前記認証用可搬媒体の所有者に付与された個人番号が示され、前記個人番号が前記更新前固有番号、前記更新後固有番号および前記通行権限のそれぞれと対応する個人情報テーブルを記憶した個人情報テーブル記憶手段と、
前記所定の通行場所に設けられ、通行の可否の認証を行うときに、前記認証用可搬媒体の前記更新前固有番号および前記更新後固有番号の少なくとも一方を読み込む固有番号読み込み手段と、
前記固有番号読み込み手段により読み込まれた読み込み固有番号を用いて前記個人情報テーブルから対応する前記個人番号を検索する個人番号検索手段と、
前記個人番号検索手段の検索の結果、対応する前記個人番号があった場合に、この個人番号を用いて、前記個人情報テーブルから前記個人番号の通行の可否を判定する通行可否判定手段と、
前記通行可否判定手段が通行可能と判定した場合に、前記所定の通行場所を通行可能な状態にする開通手段と、
を備えたことを特徴とする出入管理装置。
【請求項２】
前記個人番号検索手段は、
前記読み込み固有番号を用いて前記個人情報テーブルの前記更新前固有番号と対応する前記個人番号を検索する第１の個人番号検索手段と、
前記第１の個人番号検索手段の検索の結果、対応する前記個人番号が無かった場合に、前記読み込み固有番号を用いて前記個人情報テーブルの前記更新後固有番号と対応する前記個人番号を検索する第２の個人番号検索手段と、
を備えたことを特徴とする請求項１に記載の出入管理装置。
【請求項３】
前記個人番号検索手段は、
前記読み込み固有番号を用いて前記個人情報テーブルの前記更新後固有番号と対応する前記個人番号を検索する第２の個人番号検索手段と、
前記第２の個人番号検索手段の検索の結果、対応する前記個人番号が無かった場合に、前記読み込み固有番号を用いて前記個人情報テーブルの前記更新前固有番号と対応する前記個人番号を検索する第１の個人番号検索手段と、
を備えたことを特徴とする請求項１に記載の出入管理装置。
【請求項４】
所定の時間が経過後、前記個人番号検索手段は、前記第２の個人番号検索手段が先に行われ、その結果、対応する前記個人番号が無かった場合に、前記第１の個人番号検索手段が行われることを特徴とする請求項２に記載の出入管理装置。
【請求項５】
前記固有番号読み込み手段の近傍に設けられ、作動させることで前記第１の個人番号検索手段または前記第２の個人番号検索手段のいずれかを先に選択することができる釦を有することを特徴とする請求項２または請求項３に記載の出入管理装置。
【請求項６】
前記第２の個人番号検索手段により、前記個人情報テーブルの更新後固有番号と対応する前記個人番号を検索の結果、前記個人番号を見つけた場合、前記更新前固有番号を前記個人情報テーブルから抹消し、前記更新後固有番号を前記個人情報テーブル内の前記更新前固有番号が記憶されていた記憶領域に記憶しなおす記憶領域移動手段を有する特徴とする請求項２に記載の出入管理装置。
【発明の詳細な説明】
【技術分野】
【０００１】
この発明は、ビルや建物等の出入口や出入扉において人の出入を管理する出入管理装置に関する。
【背景技術】
【０００２】
ＩＣカード等の認証用可搬媒体を使用した出入管理装置においては、セキュリティ性を向上させるため、一定期間毎に認証用可搬媒体の更新を行う場合がある。
個人を特定するための情報である個人番号が１人に対して１つ与えられ、その１つの個人番号に対して、認証用可搬媒体を特定するための情報である固有番号を１つ割り付けられている場合、認証用可搬媒体の更新と同時に、出入管理装置の個人情報テーブルの更新を行う必要がある。この場合、認証用可搬媒体の数が多くなり、それに伴い、個人情報テーブルの規模が大きくなると、認証用可搬媒体の更新と出入管理装置の個人情報テーブルの更新を同時に行うことが困難となり、運用上問題があった。
そこで、１人に、上記の認証用可搬媒体を更新前用および更新後用として２つを用意し、出入管理装置には、更新前および更新後の認証用可搬媒体の両方に別々の固有番号を割り付けて記憶させた場合、更新前および更新後のどちらの認証用可搬媒体でも認証が可能となるので、出入管理装置の個人情報テーブルを先に更新した後に、余裕を持って認証用可搬媒体の更新作業を行うことができる。
しかしながら、この場合、出入管理装置の個人情報テーブルには、１人につき２つの個人番号が与えられ、その個人番号のそれぞれに固有番号が割り付けられているため、個人情報テーブルの情報量がほぼ２倍の大きさとなり、出入管理装置の記憶容量を大きくする必要があった。
【０００３】
そこで、従来の出入管理装置として、１人につき、１つの個人番号が与えられ、その個人番号に対して、更新前および更新後の固有番号を割り付けられており、個人情報テーブルには、更新前または更新後の何れか一方の固有番号が記憶され、認証用可搬媒体には、更新前の固有番号と更新後の固有番号との両方が記憶された出入管理装置が知られている（例えば、特許文献１参照）。
このものの場合、出入管理装置は個人情報テーブルが更新前のものであっても認証することができるので、認証用可搬媒体を先に更新した後に、余裕を持って出入管理装置の個人情報テーブルの更新作業を行うことができる利点がある。
【０００４】
【特許文献１】特開２００４−３１６２０１号公報
【発明の開示】
【発明が解決しようとする課題】
【０００５】
しかしながら、上記構成の出入管理装置では、認証用可搬媒体に記憶されている更新前の固有番号および更新後の固有番号の両方を読み込まなくてはならず、この読み込みに時間がかかるという問題点があった。
【０００６】
この発明は、上述のような問題点を解決することを課題とするものであって、その目的は、個人情報テーブルの情報量の増大を抑えたまま、認証用可搬媒体に書きこまれた固有番号を更新前または更新後の何れか一方のみとすることにより、固有番号の読み出し時間を短縮した出入管理装置を提供するものである。
【課題を解決するための手段】
【０００７】
この発明に係る出入管理装置は、更新前固有番号または更新後固有番号のいずれか一方が記憶された認証用可搬媒体と前記認証用可搬媒体を用いて所定の通行場所の通行の可否の認証を行う出入管理装置本体とを有する出入管理装置において、少なくとも更新前の前記認証用可搬媒体の更新前固有番号、更新後の前記認証用可搬媒体の更新後固有番号、前記所定の通行場所の通行の可否情報である通行権限および前記認証用可搬媒体の所有者に付与された個人番号が示され、前記個人番号が前記更新前固有番号、前記更新後固有番号および前記通行権限のそれぞれと対応する個人情報テーブルを記憶した個人情報テーブル記憶手段と、前記所定の通行場所に設けられ、通行の可否の認証を行うときに、前記認証用可搬媒体の前記更新前固有番号および前記更新後固有番号の少なくとも一方を読み込む固有番号読み込み手段と、前記固有番号読み込み手段により読み込まれた読み込み固有番号を用いて前記個人情報テーブルから対応する前記個人番号を検索する個人番号検索手段と、前記個人番号検索手段の検索の結果、対応する前記個人番号があった場合に、この個人番号を用いて、前記個人情報テーブルから前記個人番号の通行の可否を判定する通行可否判定手段と、前記通行可否判定手段が通行可能と判定した場合に、前記所定の通行場所を通行可能な状態にする開通手段とを備えている。
【発明の効果】
【０００８】
この発明に係る出入管理装置によれば、個人情報テーブルの情報量の増大を抑えたまま、認証用可搬媒体に書きこまれた固有番号を更新前または更新後のいずれか一方のみとしたので、固有番号の読み出し時間を短縮することができる。
【発明を実施するための最良の形態】
【０００９】
実施の形態１．
以下、この発明の実施の形態１の出入管理装置について図に基づいて説明する。
図１はこの出入管理装置の出入管理装置本体のシステム構成図、図２は図１の端末コントローラ２を示すブロック図、図３は出入管理装置本体の認証処理を示すフローチャート図、図４は図２に示された個人情報テーブル記憶手段７に記憶された個人情報テーブルである。
この出入管理装置は、更新前固有番号または更新後固有番号のいずれか一方が記憶された認証用可搬媒体であるカード（図示せず）と、このカードを用いて所定の通行場所の通行の可否の認証を行う出入管理装置本体とを有している。
【００１０】
図１に示すように、この出入管理装置本体は、通行の条件や認証の方法等を設定する監視設定端末１と、この監視設定端末１の設定にしたがって個人認証を行う端末コントローラ２と、この端末コントローラ２に制御されカードの固有番号であるカード番号等を読み込む固有番号読み込み手段であるカードリーダ３と、同じく端末コントローラ２に制御され扉を開閉する電気錠４と、監視設定端末１と端末コントローラ２とが通信できるように繋がれているネットワーク５とを備えている。
【００１１】
上記監視設定端末１は、通行の条件や認証の方法等を設定し、また、通行の履歴や警報の履歴を収集する。さらにこの監視設定端末１は、複数ある端末コントローラ２の全てに対して通行の条件や認証の方法等の指示を出すことができる。
【００１２】
図２に示すように、この端末コントローラ２は、個人情報テーブルから個人番号を検索する個人番号検索手段６、個人情報テーブルを記憶した個人情報テーブル記憶手段７、個人情報テーブルから通行可否を判定する通行可否判定手段８、およびこの通行可否判定手段８の判定結果によって電気錠を作動させる開錠手段９を備えている。
この出入管理装置において、電気錠４と開錠手段９から、所定の通行場所を通行可能な状態にする開通手段が構成されている。
なお、それぞれの端末コントローラ２のそれぞれの個人情報テーブルの中には、その端末コントローラ２が制御している扉に関する情報だけを記憶させることも可能である。
端末コントローラ２は、マイコンを使用したコントローラ等から構成され、監視設定端末１はパソコンやワークステーション等で実現される。
【００１３】
この個人情報テーブルには、図４に示すように、個人番号、その個人の氏名、所属する所属部署、通行権限のある扉の番号、更新前のカード番号および更新後のカード番号が示されている。
【００１４】
個人番号検索手段６は、個人情報テーブル記憶手段７から送られてきた個人情報テーブルの中の更新前のカード番号の一覧または更新後のカード番号の一覧からそのカード番号に対応する個人番号を検索する。更新前のカード番号の一覧または更新後のカード番号の一覧のどちらから先に検索するかは、監視設定端末１により任意に設定することができる。
この発明の実施の形態１では、更新前のカード番号の一覧から先に検索するように監視設定端末１を設定している。
【００１５】
個人情報テーブル記憶手段７は、上述したように個人情報テーブルを記憶している。また、監視設定端末１により、この個人情報テーブル記憶手段７には、個人情報テーブル内の更新前のカード番号を抹消し、その更新前のカード番号が記憶されていた記憶領域に更新後のカード番号を記憶しなおす、記憶領域移動手段を作動させる設定ができる。
【００１６】
通行可否判定手段８は、個人情報テーブル記憶手段７から送られてきた個人情報テーブルの通行権限の一覧から個人番号検索手段６により特定された個人番号に対応する通行権限のある扉の番号を検索し、通行の可否を判定する。
【００１７】
次に、図２のブロック図および図３のフローチャート図を用いて端末コントローラ２、カードリーダ３および電気錠４の動作について説明する。
まず、通行を希望する人が所持しているカードをカードリーダ３に挿入すると、カードリーダ３はこのカードに記憶されたカード番号を読み込む（ステップＳ１）。
次に、個人番号検索手段６は、個人情報テーブルの中の更新前のカード番号の一覧からそのカード番号に対応する個人番号を検索する。（ステップＳ２）。
個人番号検索手段６の検索により、更新前のカード番号の一覧の中に、読み込まれたカード番号と対応する個人番号があった場合には（ステップＳ３）、通行可否判定手段８は、個人情報テーブルの中の通行権限の一覧からその個人番号と対応する通行権限のある扉の番号を検索し、その個人番号が通行可能か否かを判定する（ステップＳ４）。
通行可否判定手段８がその個人番号を通行可能と判定した場合は（ステップＳ５）、開錠手段９が電気錠４を開錠する（ステップＳ６）。
【００１８】
一方、通行可否判定手段８がその個人番号を通行不可と判定した場合は（ステップＳ５）、そのまま処理は終了し、扉は閉められたままである。
【００１９】
また、個人番号検索手段６の検索により、更新前のカード番号の一覧の中に、読み込まれたカード番号が登録されていなかった場合には（ステップＳ３）、個人番号検索手段６は、個人情報テーブルの中の更新後のカード番号の一覧からその読み込まれたカード番号に対応する個人番号を検索する（ステップＳ７）。
個人番号検索手段６の検索により、更新後のカード番号の一覧の中に、読み込まれたカード番号に対応する個人番号があった場合には（ステップＳ８）、通行可否判定手段８は、個人情報テーブルの中の通行権限の一覧からその個人番号と対応する通行権限のある扉の番号を検索し、その個人番号が通行可能か否かを判定する（ステップＳ４）。
通行可否判定手段８がその個人番号を通行可能と判定した場合は（ステップＳ５）、開錠手段９が電気錠４を開錠する（ステップＳ６）。
【００２０】
なお、この時、監視設定端末１に予め設定しておくと、記憶領域移動手段により、個人情報テーブル内のその個人番号と対応した更新前のカード番号を記憶している記憶領域から、更新前のカード番号を抹消し、その更新前のカード番号が記憶されていた記憶領域に更新後のカード番号を記憶しなおすことができる。
【００２１】
一方、通行可否判定手段８がその個人番号を通行不可と判定した場合は（ステップＳ５）、そのまま処理は終了し、扉は閉められたままである。
また、個人番号検索手段６により、更新後のカード番号の一覧の中に、読み込まれたカード番号が登録されていなかった場合も（ステップＳ８）、そのまま処理は終了し、扉は閉められたままである。
【００２２】
以上説明したように、この実施の形態に係る出入管理装置によれば、個人情報テーブルには個人番号が更新前のカード番号および更新後のカード番号の両方と対応して示されており、カードに記憶されたカード番号は更新前または更新後のいずれか一方であるので、個人情報テーブルの情報量の増大を抑えたまま、カード番号の読み込み時間が短縮できる。その結果、操作性が向上し、よりスムーズな入出管理が可能である。
また、カードの交換時期において、更新前のカードと更新後のカードのどちらも使用することができるので、余裕をもったカード発行処理が可能である。
【００２３】
さらに、個人番号検索手段６は更新前のカード番号の一覧から先に検索するので、カードの更新が開始された直後等、更新後のカードの数より更新前のカードの数の方が多い場合には、認証処理の時間が短縮され、操作性が良くなる。
【００２４】
以下、この実施の形態１の変形例として、監視設定端末１において、設定条件を変更した場合を説明する。
【００２５】
監視設定端末１において、個人番号検索手段６が更新後のカード番号の一覧から先に検索するように設定することができる。その結果、カードの更新が開始されてからしばらく経った後等、更新前のカードの数より更新後のカードの数の方が多い場合には、認証処理の時間が短縮され、操作性が良くなる。
【００２６】
また、監視設定端末１において、更新開始直後には、個人番号検索手段６が更新前のカード番号の一覧から先に検索し、更新開始から所定の時間が経った後には、個人番号検索手段６が更新後のカード番号の一覧から先に検索するように設定することができる。その結果、更新前のカードの数の方が使用される頻度が高い場合は、更新前のカード番号の一覧を先に検索し、逆に、更新後のカードの数の方が使用する頻度が高くなった場合には、更新後のカード番号の一覧を先に検索するように切り替えるようになり、認証処理の時間が短縮され、操作性がより良くなる。
【００２７】
さらに、監視設定端末１において、個人番号検索手段６が更新前のカード番号の一覧から先に検索し、その後、更新後のカード番号により通行可能と判断された場合には、記憶領域移動手段７により、個人情報テーブル内のその個人番号と対応した更新前のカード番号を記憶している記憶領域から、更新前のカード番号を抹消し、その更新前のカード番号が記憶されていた記憶領域に更新後のカード番号を記憶しなおすように設定することができる。その結果、更新後のカードを用いて認証するのが２回目以降の場合、認証処理の時間が短縮され、操作性が向上する。また、更新前のカードを使用することができなくなるため、安全性が向上する。
【００２８】
以下、この実施の形態１のさらなる変形例を説明する。
【００２９】
この端末コントローラ２には、図示しない釦を設けることができる。この釦が作動させると、個人番号検索手段６が更新前のカード番号の一覧または更新後のカード番号の一覧のどちらを先に使用するかを設定することができる。その結果、個人番号検索手段６が更新前のカード番号の一覧と更新後のカード番号の一覧のどちらから先に検索するかをカードに合わせて選択できるようにすると、認証処理の時間が短縮され、操作性が良くなる。
【００３０】
なお、本実施の形態１では、認証用可搬媒体としてカードを用いた場合について説明したが、勿論このものに限定されず、ＩＣチップを埋め込んだタグのようなものであってもよい。
【図面の簡単な説明】
【００３１】
【図１】この発明の実施の形態１の出入管理装置本体のシステム構成図である。
【図２】図１の端末コントローラを示すブロック図である。
【図３】図１の出入管理装置本体の認証処理を示すフローチャート図である。
【図４】図２に示された個人情報テーブル記憶手段に記憶された個人情報テーブルである。
【符号の説明】
【００３２】
１  監視設定端末、２  端末コントローラ、３  カードリーダ、４  電気錠、５  ネットワーク、６  個人番号検索手段、７  個人情報テーブル記憶手段、８  通行可否判定手段、９  開錠手段。
【図１】
0004772461.tif 000002
【図２】
0004772461.tif 000003
【図３】
0004772461.tif 000004
【図４】
0004772461.tif 000005